(57)【要約】【課題】遊技者自らが即座に補給樋系の球詰りを解消できる構成を備えたパチンコ遊技機を提供する。【解決手段】遊技機本体表面に配設されて、遊技者により操作される球詰まり解消操作部２４ａと、球詰まり解消操作部の操作に起因して作動し、可撓性補給管３６又は／及び補給樋３５内の遊技球の流動不良を解消する球流下作動部（連動杆２５）とを具備するようにし、球詰まり解消操作部２４ａを、球詰まり発生時に遊技者自らが操作することにより、即座に可撓性補給管内の球詰まりを解消することが可能となるようにした。このため、遊技の継続的な進行が確保され、賞球や借り球が供給されないことによる遊技者の苛立ちを遊技者自身により迅速に解消することができ、遊技場とのトラブルの発生も解消される。【選択図】　図１
2004141529.tif 000002
【特許請求の範囲】
【請求項１】
遊技機本体裏面に、島設備の補給樋の下底と接続された可撓性補給管から遊技球を供給される球タンクと、該球タンク内の遊技球を下方へ流下させる球通路とを備えたパチンコ遊技機において、
遊技機本体表面に配設されて、遊技者により操作される球詰まり解消操作部と、
球詰まり解消操作部の操作に起因して作動し、可撓性補給管又は／及び補給樋内の遊技球の流動不良を解消する球流下作動部とを具備する
球詰まり解消手段を備えたことを特徴とするパチンコ遊技機。
【請求項２】
球詰まり解消手段が、
遊技機本体表面に、移動可能に配設される球詰まり解消操作部と、
球詰まり解消操作部の移動操作に連動して作動し、該作動により可撓性補給管を移動する連動杆からなる球流下作動部と
を備えたものである請求項１記載のパチンコ遊技機。
【請求項３】
球流下作動部が、可撓性補給管と連結され、球詰まり解消操作部の移動操作に連動して、該可撓性補給管との連結部が移動する連動杆からなるものである請求項２記載のパチンコ遊技機。
【請求項４】
後端部を可撓性補給管と連結された連動杆が、遊技機本体の表裏を貫設された左右方向の摺動孔に挿通され、かつ遊技機本体の表面側に突出した前端部を球詰まり解消操作部と連結し、該球詰まり解消操作部を摺動孔に沿って左右移動操作することにより、連動杆の連結部を左右移動するものである請求項３記載のパチンコ遊技機。
【請求項５】
球詰まり解消手段が、
遊技機本体表面側に配設されたオン・オフスイッチからなる球詰まり解消操作部と、
補給樋内に臨む球接触端部を備えた球均し杆と、補給樋またはその周囲に固定され、かつ球均し杆に連繋し、球詰まり解消操作部のオン・オフ操作により駆動制御されて、球均し杆を球均し駆動する電気的駆動源とからなる球流下作動部
とを備えたものである請求項１記載のパチンコ遊技機。
【請求項６】
球均し杆が、補給樋またはその周囲に回動可能に軸支されるとともに、電気的駆動源が、補給樋またはその周囲に固定され、かつ駆動軸が球均し杆に連繋し、球詰まり解消操作部のオン・オフ操作により駆動制御されて、球均し杆を回動する駆動モータである請求項５記載のパチンコ遊技機。
【請求項７】
球タンク及び／又は該球タンク内の遊技球を下方へ流下させる球通路の内部の少なくとも一部を、遊技機本体の表面側から視認可能とする視認手段を備えている請求項１乃至請求項６のいずれかに記載のパチンコ遊技機。
【発明の詳細な説明】
【０００１】
【発明の属する技術分野】
本発明は、遊技機本体裏面の補給樋または該補給樋の下底と接続された可撓性補給管で発生した遊技球の球詰りを、遊技機本体の表面側から解消し得るようにしたパチンコ遊技機に関する。
【０００２】
【従来の技術】
遊技球が転動流下する遊技領域が区画形成された遊技盤を具備する遊技機本体の裏面側に、島設備の補給樋から供給される遊技球を受け入れる球タンクと、この球タンク内の遊技球を流下させる球通路とを備えたパチンコ遊技機は良く知られている。
【０００３】
前記球タンクは、遊技盤の裏面に対設された機構板の上部位置に固定されており、この球タンク内の遊技球は、球タンクに配設された球通路によって下方へ流下する。さらに、流下する遊技球は、球払出装置に導かれ、入賞の発生や球借り操作に起因して、この球払出装置から上受け皿の球出口へ案内される。
【０００４】
ところで、補給樋に貯留されていた遊技球が、該補給樋の可撓性補給管から流入する際にあって、急激に球通過可能な領域が狭くなるため、球詰りが発生する場合がある。このような球詰りが発生すると、球タンクが空となって賞球として払い出されるべき遊技球や、ＣＲ機において球借り操作に基づいて貸し出される遊技球が上受け皿の球出口から排出されなくなり、発射する遊技球がなくなるため、遊技に支障を来すこととなる。この場合に、遊技者は機台を叩いたり、遊技場の従業員を呼んで対処することとなるが、前者にあっては、周辺の遊技者に不快感を与えたり、遊技者相互のトラブルを誘発し易く、後者にあっては、遊技の連続性が阻害され、遊技者に苛立ちを与えることとなる。また、この種の球詰まりの発生は、簡単に復旧する場合がほとんどであり、遊技の継続性を阻害された不満感との落差に、かえって苛立ちを増幅させることともなる。
ここで、球詰まりを自動的に解消する手段として、球通路にバイブレータ装置を設置し、球通路を振動させて球詰りを防ぐ構成が提案されている（例えば、特許文献１参照）。この構成は、タンクスイッチが賞球を検出し、かつ賞球検出スイッチが賞球を検出しない場合に、球詰まりとして判定し、バイブレータにより下タンクを振動させて、球詰まりを解消しようとするものである。
【０００５】
【特許文献１】
特開平８−２８０９０２号公報
【０００６】
【発明が解決しようとする課題】
上述の従来構成は、下タンクを振動させて、外力により間接的に遊技球の流下を促進するものであり、滞留する遊技球に直接触れて遊技球を円滑に流通させる構成ではないため、確実に球詰りを解消し得るものではない。また、パチンコ遊技機自体が自動的に、球詰まり処理を行うものであり、球詰まりの解消に遊技者が直接関与することはできない。従って、上述の文献に示される構成を補給樋に適用したとしても、外側から微振動を付与するものであるから、例えば補給管内のような狭路内で、遊技球が密に滞留して詰まった場合には、あまり効果がない。このため、結局は、球詰まりが解消されな場合には、従来と同様に遊技場の係員を呼んで復旧作業を任せることとなり、遊技の継続性が阻害され、時間ロスを生じることとなる。
本発明は、かかる問題点に鑑み、遊技者自らが即座に補給樋系の球詰りを解消できるパチンコ遊技機を提供することを目的とするものである。
【０００７】
【課題を解決するための手段】
本発明は、遊技機本体裏面に、島設備の補給樋の下底と接続された可撓性補給管から遊技球を供給される球タンクと、該球タンク内の遊技球を下方へ流下させる球通路とを備えたパチンコ遊技機において、遊技機本体表面に配設されて、遊技者により操作される球詰まり解消操作部と、球詰まり解消操作部の操作に起因して作動し、可撓性補給管又は／及び補給樋内の遊技球の流動不良を解消する球流下作動部とを具備するパチンコ遊技機である（請求項１）。
【０００８】
補給樋系にあっては、補給樋の下底と接続された可撓性補給管は、急激に狭路となるため、球詰まりが発生しやすい。そこで、かかる構成にあって、補給樋系で遊技球が滞留した場合に、球詰まり解消操作部を遊技者が操作して、球流下作動部を作動させることにより、可撓性補給管や補給樋を揺らしたり、叩いたりするのと同様な作用を生じ、可撓性補給管又は／及び補給樋内の遊技球の流動不良が解消され、遊技球が円滑に球タンクに流入することとなる。ここで、球詰まり解消操作部は、遊技機本体表面の遊技者が操作可能な位置に配設されるため、球詰まり発生時に遊技者自らの操作により、即座に可撓性補給管内の球詰まりを解消することが可能となる。
【０００９】
かかる構成にあって、球詰まり解消手段として、遊技機本体表面に、移動可能に配設される球詰まり解消操作部と、球詰まり解消操作部の移動操作に連動して作動し、該作動により可撓性補給管を移動する連動杆からなる球流下作動部とを備えたもの（請求項２）が提案される。この構成にあって、連動杆を左右方向、斜め方向等に動かすと、可撓性補給管が移動し、撓みや、振動を生じて、その内部で密に滞留した遊技球が機械的作用によりほぐれて、遊技球が転動し落下する。これにより、遊技球が円滑に球タンクのに流入することとなる。尚、この連動杆の作動としては、次のように、直接、可撓性補給管と連結する場合の他、非連結状態で、可撓性補給管を揺らしたり、叩いたりする構成も含まれる。
【００１０】
また、上述の構成にあって、球流下作動部が、可撓性補給管と連結され、球詰まり解消操作部の移動操作に連動して、該可撓性補給管との連結部が移動する連動杆からなるもの（請求項３）が提案される。この構成にあっては、連動杆が可撓性補給管に直接連結されているため、動作量と移動量が比例し、遊びが無く、応答性が良好となる。
【００１１】
ここで、後端部を可撓性補給管と連結された連動杆が、遊技機本体の表裏を貫設された左右方向の摺動孔に挿通され、かつ遊技機本体の表面側に突出した前端部を球詰まり解消操作部と連結し、該球詰まり解消操作部を摺動孔に沿って左右移動操作することにより、連動杆の連結部を左右移動するもの（請求項４）とすることができる。この構成にあっては、手操作により、球接触端部を、球均し杆を摺動孔に沿って、随意に水平方向へ往復移動することができる。
【００１２】
さらに、球詰まり解消手段として、遊技機本体表面側に配設されたオン・オフスイッチからなる球詰まり解消操作部と、補給樋内に臨む球接触端部を備えた球均し杆と、補給樋またはその周囲に固定され、かつ球均し杆に連繋し、球詰まり解消操作部のオン・オフ操作により駆動制御されて、球均し杆を球均し駆動する電気的駆動源とからなる球流下作動部とを備えたもの（請求項５）が提案される。この構成にあっては、遊技者が球詰まり解消操作部をスイッチ操作することにより、補給樋内で自動的に均し駆動される。この球詰まり解消操作部は、球均し杆と機械的に連結されているものではないから、自在に位置設定することができる。
【００１３】
かかる構成にあって、球均し杆が、補給樋またはその周囲に回動可能に軸支されるとともに、電気的駆動源が、補給樋またはその周囲に固定され、かつ駆動軸が球均し杆に連繋し、球詰まり解消操作部のオン・オフ操作により駆動制御されて、球均し杆を回動する駆動モータである構成（請求項６）が提案される。かかる構成にあっては、駆動モータの回動軸に、球均し杆を連結するだけで良いから、構造が簡単となる。その他、球均し杆を駆動する構成として、球タンク上を往復駆動走行させる構成であっても良い。
【００１４】
上述の各構成にあって、球タンク及び／又は該球タンク内の遊技球を下方へ流下させる球通路の内部の少なくとも一部を、遊技機本体の表面側から視認可能とする視認手段を備えているもの（請求項７）としても良く、この場合には、該視認手段により球詰まりを確認して球詰まり解消操作部を操作し、その状態の改善を確認することができ、これにより、補給樋系の球詰まり解消操作を無駄のないものとすることができる。
【００１５】
【発明の実施の形態】
パチンコ遊技機１は、図１に示すように、島設備に固定される長方形状の外枠２と、この外枠２の前面開口部分を覆う遊技機本体３とからなる。この遊技機本体３は、ほぼ正方形状の開口部が中央上部に形成された前枠６を備え、この前枠６の一側縁がヒンジ部材４を介して外枠２に開閉可能に枢着されている。遊技機本体３には、遊技盤８が前枠６の開口部に嵌合された状態で取り付けられており、さらに表面側には、遊技盤８を覆う透明板９を具備する扉枠１０が、遊技盤８の前方に位置させて前枠６の開口部に開閉可能に取り付けられている。前記遊技盤８は、遊技球が転動流下する遊技領域がほぼ円形のレールにより区画形成されてなる。
【００１６】
遊技機本体３の表面側には、扉枠１０の下部に位置させて上受け皿１１’を具備する上皿パネル１１と、この上皿パネル１１の下部に位置させて下受け皿１２’を具備する下皿パネル１２と、この下皿パネル１２の右側に突出する発射ハンドル１３を有する発射装置（図示省略）とが備えられている。なお、前記扉枠１０と上皿パネル１１はそれぞれその一側縁がヒンジ部材（図示省略）を介して前枠６の表面側部に枢結されており、メンテナンス時等において片開き状にそれぞれ開閉し得るようになっている。
【００１７】
一方、遊技機本体３の裏面側には、図２又は図３に示すように、遊技盤８の背面に当接させるようにして機構板１４が対設されている。この機構板１４はその一側縁が前枠６の裏面側部にヒンジ部材（図示省略）を介して開閉可能に枢結されている。この機構板１４には、その上部に球タンク１５が取り付けられており、図示しない島設備の補給樋から可撓パイプを介して供給される遊技球をこの球タンク１５内に受け入れ得るようになっている。また、機構板１４には、球タンク１５内の遊技球を流下させる球通路１６が取り付けられている。この球通路１６は、球タンク１５の底壁に開口された球出口１７から排出される遊技球を一列状に整列させて球払出装置１８に導く上部通路１９ａと、球払出装置１８から払い出される遊技球をさらに下方に導く下部通路１９ｂとによって構成されている。この下部通路１９ｂは途中で二股状に分岐され、その一方は遊技球を上受け皿１１’への球出口２０に導く払出し流路２１となっており、他方はこの払出し流路２１から溢れた遊技球を下受け皿１２’への球出口２２に導く払出し流路２３となっている。
【００１８】
ここで、球タンク１５上には、補給樋３５が配設され、その下底に接続された可撓性補給管３６により、遊技球が球タンク１５内に補給される。そして正常な状態にあっては、可撓性補給管３６から順次供給される遊技球によって球タンク１５内が満たされている。また、球タンク１５から球払出装置１８に至る球通路１６の上部通路１９ａ内にも遊技球が常時滞留している。一方、球払出装置１８から遊技球を下方に導く球通路１６の下部通路１９ｂ内は、払い出された遊技球が即座に球出口２０または球出口２２から流出するため、遊技球が滞留することはない。
【００１９】
次に本発明の要部について説明する。
本発明は、補給樋系に遊技球が詰まった場合に、遊技機本体３の表面側に配設した球詰まり解消操作部２４ａ，２４ｂを操作することにより、球流下作動部によりその球詰まりを解消するようにした球詰まり解消手段を具備するものである。
【００２０】
その第一の実施形態を図１〜図４に従って説明する。
この第一の実施形態は、補給樋３５から急激に通路が細くなって遊技球が下方へ流下することとなる可撓性補給管３６内での、球詰まりの多発に鑑みて、該可撓性補給管３６内の球詰まりを防止しようとするものである。かかる球詰まり解消手段は、遊技機本体３の表裏を貫通し、表面側に突出した前端部を球詰まり解消操作部２４ａと、遊技機本体３の裏面側に突出した後端部の連結部２６を可撓性補給管３６に連結してなる連動杆２５（球流下作動部）とにより構成される。さらに詳しくは、この連動杆２５が、遊技機本体３の表面側と裏面側とを貫設された左右方向の摺動孔２７に挿通され、表面側に突出した該連動杆２５の前端部が球詰まり解消操作部２４ａに連結されてなり、球詰まり解消操作部２４ａを左右移動操作することにより、連結部２６が摺動孔２７に沿って左右移動し、これにより可撓性補給管３６を揺動するようにしたものである。
この可撓性補給管３６は蛇腹状をなし、湾曲可能である。また、連結部２６は馬蹄形をなし、図４で示すように、連動杆２５の主杆部２５’の端部に螺子３２により、脱着可能に固定される。そしてこの蛇腹状の可撓性補給管３６に外嵌され、横方向移動に対して連結される。
【００２１】
ここで、摺動孔２７は遊技機本体３の上部前面に幅方向に沿って固定された摺動パネル板７に形成され、この摺動孔２７に連動杆２５が前後方向に貫通し、その前端に、操作つまみからなる球詰まり解消操作部２４ａが固着され、摺動パネル７の前面で左右方向移動可能としている。
【００２２】
而して、図４の拡大図で示すように、球詰まり解消操作部２４ａを左右に移動すると、これに追随して、連結部２６が移動し、可撓性補給管３６が撓んで、密に滞留した遊技球が機械的作用によりほぐれて、その内部の遊技球が転動し、可撓性補給管３６内で詰まった遊技球が、球タンク１５内に流下する。
【００２３】
かかる構成のように、連結部２６が左右方向へ移動する他の構成として、連動杆２５を遊技機本体の表裏に貫通すると共に、該遊技機本体に連動杆２５を傾動可能に軸支し、連動杆２５の前端に設けた遊技機本体の表面側の球詰まり解消操作部を左右に移動すると、その支軸を中心として、連結部２６が左右方向へ回動する構成としても良い。これによれば、球接触端部を右移動すると、連結部２６が左移動することとなる。
【００２４】
一方、上述の構成は、連動杆２５を左右方向へ往復移動して、可撓性補給管３６に外的負荷を与えて、遊技球の滞留を解消するものであるが、連動杆２５の作動方向は、斜め、上下または、これらの組み合わせ等、種々適用可能である。要は、可撓性補給管３６を撓ませるものであればよい。また、連動杆２５を可撓性補給管３６と非連結状として、連動杆２５の動作により、可撓性補給管３６を打圧するような構成であっても良い。
【００２５】
図５〜図７は、球詰まり解消手段の第二実施形態を示す。
かかる構成は、球詰まり解消手段を、遊技機本体３の表面側に配設されたオン・オフスイッチからなる球詰まり解消操作部２４ｂと、補給樋３５の壁部に回動可能に軸支された球均し杆３０及び、補給樋３５の壁部に固定され、かつ駆動軸を球均し杆３０の外端と連繋した駆動モータ３２により構成される球流下作動部とで構成したものである。この駆動モータ３２は、コード３３により球詰まり解消操作部２４ｂと電気的に接続される。また球均し杆３０の補給樋３５内に臨む端部には、直角状に突出した適宜数の球接触端部３１が連成される。そして、球詰まり解消操作部２４ｂをオン操作すると、駆動モータ３２が駆動し、球均し杆３０が一方向または往復方向に回転する。これにより、球接触端部３１が補給樋３５内で回動して、補給樋３５内の遊技球が攪拌され、球詰まりが解消される。
【００２６】
かかる構成にあっては、オン・オフスイッチからなる球詰まり解消操作部３１を駆動モータ３２と電気的に接続すればよいから、遊技機本体３の表裏を貫通させて、摺動孔や連通孔を形成する必要が無く、加工や配置設計が容易となる。また、球詰まり解消操作部３１は、発信装置内蔵の構成として、駆動モータ３２をコードレスにより駆動制御するものとしても良い。
【００２７】
上述の構成にあって、遊技者は、球詰まり状態を賞球の未発により知得し、球詰まり解消操作部２４ａ，２４ｂを操作することとなるが、該賞球の未発は、必ずしも即座に認識されず、上皿の遊技球が少なくなってから、初めて気づき、遅きに失する場合がある。そこで、図５で示すように、球タンク１５又は該球タンク内の遊技球を下方へ流下させる球通路の内部の少なくとも一部を、遊技機本体３の表面側から視認可能とする窓孔部４０を備えた構成とすることができる。かかる構成にあっては、窓孔部４０により遊技球の球詰まりを確認できるから、賞球又は球借りに影響する前に、該球詰まりを解消することができる。
【００２８】
この窓孔部４０は、遊技機本体にあって、遊技盤８に左右に長い透孔を形成し、かつ球タンク１５の前面部に、内部透視可能な透明ガラス，透明な合成樹脂等の透明材料を配設するなどにより構成される。そしてこれにより、補給樋３５系の球詰まりにより、球タンク１５内での遊技球が空となったことを容易に確認でき、球詰まりの発生に対して迅速に対応することができる。
【００２９】
【発明の効果】
本発明は、遊技機本体表面に配設されて、遊技者により操作される球詰まり解消操作部と、球詰まり解消操作部の操作に起因して作動し、可撓性補給管又は／及び補給樋内の遊技球の流動不良を解消する球流下作動部とを具備する（請求項１）ようにしたから、補給樋系で遊技球が滞留した場合には、球詰まり解消操作部の操作により、球流下作動部が作動して、可撓性補給管や補給樋を揺らしたり、叩いたりするのと同様な作用を生じることとなり、球詰まりに対応して、遊技場の係員を呼ぶことなく、遊技者自体が迅速に対応できる。このため、賞球や借り球が供給されないことによるトラブルを、遊技者自身により積極的かつ迅速に解消することができ、遊技の継続的な進行が確保され、球詰まりによる苛立ちを大きく緩和することができる。また、遊技場の係員の作業も軽減され、遊技場の負担が緩和される。
【００３０】
また球詰まり解消手段として、遊技機本体表面に、移動可能に配設される球詰まり解消操作部と、球詰まり解消操作部の移動操作に連動して、該可撓性補給管を移動させる連動杆からなる球流下作動部とを備えたもの（請求項２）にあっては、可撓性補給管内で遊技球が滞留した場合に、球詰まり解消操作部の操作に従って、連動杆の連結部を横方向等に動かすと、可撓性補給管が撓んで、密に滞留した遊技球が機械的作用によりほぐれて、その内部の遊技球が転動し、遊技球が落下することとなり、遊技者自らの操作により、即座かつ有効に可撓性補給管内の球詰まりを解消することが可能となる。
【００３１】
また、上述の構成にあって、球流下作動部が、可撓性補給管と連結され、球詰まり解消操作部の移動操作に連動して、該可撓性補給管との連結部が移動する連動杆からなるもの（請求項３）にあっては、連動杆が可撓性補給管に直接連結されているため、動作量と移動量が比例し、遊びが無く、応答性が良好となる。
【００３２】
ここで、後端部を可撓性補給管と連結された連動杆が、遊技機本体の表裏を貫設された左右方向の摺動孔に挿通され、かつ遊技機本体の表面側に突出した前端部を球詰まり解消操作部と連結し、該球詰まり解消操作部を摺動孔に沿って左右移動操作することにより、連動杆の連結部を左右移動するもの（請求項４）とした構成にあっては、手操作により、球接触端部を、球均し杆を摺動孔に沿って、随意に水平方向へ往復移動することができる。
【００３３】
さらに、球詰まり解消手段として、遊技機本体表面側に配設されたオン・オフスイッチからなる球詰まり解消操作部と、補給樋内に臨む球接触端部を備えた球均し杆と、補給樋またはその周囲に固定され、かつ球均し杆に連繋し、球詰まり解消操作部のオン・オフ操作により駆動制御されて、球均し杆を球均し駆動する電気的駆動源とからなる球流下作動部とを備えたもの（請求項５）にあっては、遊技者が球詰まり解消操作部をスイッチ操作することにより、補給樋内で自動的に均し駆動される。このため、補給樋内で球詰まりが発生した場合に有効である。また、この球詰まり解消操作部は、球均し杆と機械的に連結されているものではないから、球詰まり解消操作部の配置場所が限定されず、この球詰まり解消操作部は球詰まりが発生しない限りは用いられないものであることから、目に付かない場所に配設することもでき、配置設計が容易となる。さらには、遊技者が球詰まり解消操作部をスイッチ操作することにより、自動的に均し駆動がなされ、面倒な手操作が省かれる利点がある。
【００３４】
かかる構成にあって、球均し杆が、補給樋またはその周囲に回動可能に軸支され、電気的駆動源が、補給樋またはその周囲に固定され、かつ球均し杆に連繋し、球詰まり解消操作部のオン・オフ操作により駆動制御されて、球均し杆を回動する駆動モータである構成（請求項６）にあっては、駆動モータの回動軸に、球均し杆を連繋するだけで良いから、構造が簡単となる。
【００３５】
上述の各構成にあって、球タンク及び／又は該球タンク内の遊技球を下方へ流下させる球通路の内部の少なくとも一部を、遊技機本体の表面側から視認可能とする視認手段を備えているもの（請求項７）としても良く、この場合には、該視認手段により球詰まりを確認して球詰まり解消操作部を操作し、その状態の改善を確認することができ、これにより、補給樋系の球詰まり解消操作を無駄無く、適格に行うことができる。
【図面の簡単な説明】
【図１】第一の実施形態にかかるパチンコ遊技機の斜視図である。
【図２】機構板の背面図である。
【図３】第一の実施形態に係るパチンコ遊技機を背部から視た上部斜視図である。
【図４】パチンコ遊技機の平面図と、その要部の拡大図である。
【図５】第二の実施形態のパチンコ遊技機の正面図である。
【図６】第二の実施形態のパチンコ遊技機を背部から視た上部斜視図である。
【図７】第二の実施形態のパチンコ遊技機の背面図である。
【符号の説明】
１　パチンコ遊技機
３　遊技機本体
８　遊技盤
１５　球タンク
２４ａ，２４ｂ　球詰まり解消操作部
２５　連動杆
２６　連結部
３０　球均し杆
３１　球接触端部
３２　駆動モータ
３５　補給樋
３６　可撓性補給管
４０　窓孔部
【図１】
2004141529.tif 000003
【図２】
2004141529.tif 000004
【図３】
2004141529.tif 000005
【図４】
2004141529.tif 000006
【図５】
2004141529.tif 000007
【図６】
2004141529.tif 000008
【図７】
2004141529.tif 000009